(57)【要約】【課題】吸収体が柔らかいという感覚を与えることができる吸収性物品を提供する。【解決手段】吸収性物品１０は、吸収体４０と、吸収体４０を圧搾した圧搾部８０と、を有する。圧搾部８０が形成されていない領域において、厚み方向Ｔにおける吸収体４０のヤング率は、３．１ｋＰａ以上、４．５ｋＰａ以下である。【選択図】図３
2020039564.tif 000002
【特許請求の範囲】
【請求項１】
吸収体と、
前記吸収体を圧搾した圧搾部と、を有し、
前記圧搾部が形成されていない領域において、厚み方向における前記吸収体のヤング率は、３．１ｋＰａ以上、４．５ｋＰａ以下である、吸収性物品。
【請求項２】
前記ヤング率は３．８ｋＰａ以下である、請求項１に記載の吸収性物品。
【請求項３】
前記圧搾部は、前記吸収体を複数のセルに区画するよう格子状に形成されている、請求項１又は２に記載の吸収性物品。
【請求項４】
前記圧搾部が延びている方向と直交する方向における前記圧搾部の幅は、１．２ｍｍ以下である、請求項３に記載の吸収性物品。
【請求項５】
前後方向と、前記前後方向に直交する幅方向と、を有し、
前記幅方向における前記吸収体の中心を通って前記前後方向に沿って延びた中心線上に位置する前記セルの中点における前記ヤング率は、前記中心線上に位置する前記セルよりも前記幅方向の外側に位置する前記セルの中点における前記ヤング率よりも低い、請求項３又は４に記載の吸収性物品。
【請求項６】
互いに隣接する前記セルは、前記吸収体を圧搾しない非圧搾部により連結されている、請求項３から５のいずれか１項に記載の吸収性物品。
【請求項７】
前記セルは、互いに交差する少なくとも２つの方向において別の前記セルと隣接しており、
前記少なくとも２つの方向において互いに隣接する前記セルどうしは、前記吸収体を圧搾しない非圧搾部により連結されている、請求項３から６のいずれか１項に記載の吸収性物品。
【請求項８】
前後方向と、前記前後方向に直交する幅方向と、を有し、
前記圧搾部により区画された前記セルの前記幅方向における長さは、１５ｍｍ以下である、請求項６又は７に記載の吸収性物品。
【請求項９】
幅方向における前記セルの最大長に対する、前記セルの頂部から前記セルを区画する前記圧搾部の底部までの高さの比が、０．０３以下である、請求項３から８のいずれか１項に記載の吸収性物品。
【発明の詳細な説明】
【技術分野】
【０００１】
本発明は、使い捨ておむつのような吸収性物品に関する。
【背景技術】
【０００２】
使い捨ておむつのような吸収性物品は、尿のような液体を吸収する吸収体を有する。特許文献１に記載された吸収性物品では、吸収体に格子状の圧搾溝が形成されている。吸収体に圧搾溝を形成することで，その曲げ剛性が高まり、吸収体の保型性が維持されるとされている。
【先行技術文献】
【特許文献】
【０００３】
【特許文献１】特開２０１８−４７１８９号
【発明の概要】
【発明が解決しようとする課題】
【０００４】
吸収体の剛性は、圧搾部（エンボス）によって高まる。したがって、吸収体に格子状の圧搾部を形成すると、吸収体の保型性が維持されやすい。しかしながら、その一方で、吸収体が硬いという印象をユーザに与えてしまうことがある。
【０００５】
したがって、吸収体が柔らかいという感覚を与えることができる吸収性物品が望まれる。
【課題を解決するための手段】
【０００６】
一態様に係る吸収性物品は、吸収体と、前記吸収体を圧搾した圧搾部と、を有し、前記圧搾部が形成されていない領域において、厚み方向における前記吸収体のヤング率は、３．１ｋＰａ以上、４．５ｋＰａ以下である。
【図面の簡単な説明】
【０００７】
【図１】第１実施形態に係る肌面側から見た吸収性物品の平面図である。
【図２】第１実施形態に係る非肌面側から見た吸収性物品の平面図である。
【図３】第１実施形態に係る吸収体の平面図である。
【図４】図１の４Ａ−４Ａ線に沿った吸収性物品の模式的断面図である。
【図５】第２実施形態に係る吸収体の圧搾部のパターンを示す拡大図である。
【図６】第３実施形態に係る吸収体の圧搾部のパターンを示す拡大図である。
【図７】第４実施形態に係る吸収体の圧搾部のパターンを示す拡大図である。
【図８】第５実施形態に係る吸収体の圧搾部のパターンを示す拡大図である。
【図９】第６実施形態に係る吸収体の圧搾部のパターンを示す拡大図である。
【発明を実施するための形態】
【０００８】
（１）実施形態の概要
本明細書及び添付図面の記載により、少なくとも以下の事項が明らかとなる。
【０００９】
一態様に係る吸収性物品は、吸収体と、前記吸収体を圧搾した圧搾部と、を有し、前記圧搾部が形成されていない領域において、厚み方向における前記吸収体のヤング率は、３．１ｋＰａ以上、４．５ｋＰａ以下である。
【００１０】
大人の親指のヤング率は、概ね４．５ｋＰａである。したがって、厚み方向における吸収体のヤング率を４．５ｋＰａ以下にすることにより、大人は、吸収体を柔らかいと感じ易い。これにより、吸収体が柔らかいという感覚を与えることができる。特に、多くの大人は、吸収体の柔らかさを確認する際に、親指で確認することを確認した。そのため、大人の親指のヤング率を基準として、吸収体のヤング率を設定することで、大人（購買者）に触感の良い吸収体であるという印象を与えることができる。
【００１１】
また、厚み方向における吸収体のヤング率が３．１ｋＰａ以上であることによって、ユーザに吸収体が詰まっている感覚を与えることができ、吸収力が高いという印象をユーザに与えることができる。
【００１２】
好ましい一態様によれば、前記ヤング率は３．８ｋＰａ以下である。
【００１３】
ヤング率が３．８ｋＰａ以下であることによって、ユーザにより柔らかい印象を与えることができる。
【００１４】
好ましい一態様によれば、前記圧搾部は、前記吸収体を複数のセルに区画するよう格子状に形成されている、請求項１又は２に記載の吸収性物品。
【００１５】
吸収体に格子状の圧搾部が形成されているため、吸収体の曲げ剛性が高まり、吸収体の保型性が維持されやすい。これにより、長期間の使用に伴う吸収体の型崩れが抑制される。
【００１６】
また、圧搾部が格子状に形成されているため、液体が圧搾部を伝って吸収体の広い領域に伝わりやすい。これにより、吸収体の広い領域を利用して液を吸収しやすくなる。
【００１７】
好ましい一態様によれば、前記圧搾部が延びている方向と直交する方向における前記圧搾部の幅は、１．２ｍｍ以下である。
【００１８】
圧搾部の幅を狭くすることにより、吸収体全体が硬くなり過ぎることを抑制し、装着感を維持する肌触りことができる。
【００１９】
好ましい一態様によれば、前後方向と、前記前後方向に直交する幅方向と、を有し、前記幅方向における前記吸収体の中心を通って前記前後方向に沿って延びた中心線上に位置する前記セルの中点における前記ヤング率は、前記中心線上に位置する前記セルよりも前記幅方向の外側に位置する前記セルの中点における前記ヤング率よりも低い。
【００２０】
幅方向における中心付近は、例えば親のようなユーザが実際に触る部分であるため、ヤング率を低くすることにより、ユーザに柔らかい印象を与えることができる。
【００２１】
その一方で、幅方向における吸収体の外側部分のヤング率を高くすることによって、吸収体の外側部分を硬くし、吸収体の保型性を維持しやすくすることができる。
【００２２】
好ましい一態様によれば、互いに隣接する前記セルは、前記吸収体を圧搾しない非圧搾部により連結されている。
【００２３】
これにより、吸収体を構成する吸収材料がセル内に完全に閉じ込められるわけではないため、各セルが柔らかくなる。これにより、セルのサイズを小さくしたとしても、セルを柔らかくすることができ、吸収体が柔らかいという感覚をよりユーザに与えることができる。
【００２４】
好ましい一態様によれば、前記セルは、互いに交差する少なくとも２つの方向において別の前記セルと隣接しており、前記少なくとも２つの方向において互いに隣接する前記セルどうしは、前記吸収体を圧搾しない非圧搾部により連結されている。
【００２５】
少なくとも２つの方向において互いに隣接するセルどうしが、吸収体を圧搾しない非圧搾部により連結されるため、各セルがより柔らかくなる。これにより、セルのサイズを小さくしたとしても、セルを柔らかくすることができ、吸収体が柔らかいという感覚をよりユーザに与えることができる。
【００２６】
好ましい一態様によれば、前後方向と、前記前後方向に直交する幅方向と、を有し、前記圧搾部により区画された前記セルの前記幅方向における長さは、１５ｍｍ以下である。
【００２７】
格子状の圧搾部によって区画された吸収体のセルの幅方向における長さが小さくなるため、幅方向における吸収体の曲げ剛性がより高まり、吸収体の保型性がより維持されやすい。これにより、長期間の着用者の両脚に挟まれて使用されたとしても吸収体の型崩れがより抑制される。さらに、吸収体のセルの幅方向における長さが小さくなると、吸収体が尿を吸収できるというイメージをユーザに与えることができる。このように吸収体のセルの幅方向における長さが小さい場合、吸収体の各セルが硬くなり過ぎることがある。この場合であっても、互いに隣接するセルが、吸収体を圧搾しない非圧搾部により連結されているため、吸収体を構成する吸収材料が互いに隣接するセルどうしの間を移動できる。これにより、各々のセルが硬くなり過ぎること抑制することができ、ユーザに吸収体が柔らかいという感覚を与えることができる。
【００２８】
好ましい一態様によれば、幅方向における前記セルの最大長に対する、前記セルの頂部から前記セルを区画する前記圧搾部の底部までの高さの比が、０．０３以下である。
【００２９】
これにより、吸収体の凹凸に伴う違和感を抑制することができる。
【００３０】
（２）第１実施形態
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００３１】
図１は、第１実施形態に係る肌面側から見た吸収性物品の平面図である。図２は、第１実施形態に係る非肌面側から見た吸収性物品の平面図である。図３は、第１実施形態に係る吸収体の平面図である。図４は、図１の４Ａ−４Ａ線に沿った吸収性物品の模式的断面図である。
【００３２】
吸収性物品１０は、使い捨ておむつや生理用ナプキンのような物品であってよい。以下では、使い捨ておむつを例に挙げて詳細に説明する。
【００３３】
吸収性物品１０は、前側域Ｓ１と、股下域Ｓ２と、後側域Ｓ３と、を有する。前側域Ｓ１は、着用者の前胴周り部（腹部分）と接する部分である。また、後側域Ｓ３は、着用者の後胴周り部（背部分）と接する部分である。股下域Ｓ２は、前側域Ｓ１と前側域Ｓ３との間に位置する。
【００３４】
本実施形態では、前側域Ｓ１から後側域Ｓ３に向かう方向を前後方向Ｌと呼ぶ。また、前後方向Ｌと直交する方向を幅方向Ｗと呼ぶ。
【００３５】
吸収性物品１０は、表面シート５０、吸収体４０、及び裏面シート６０，６２を有していてよい。表面シート５０は、１枚又は複数枚のシートによって構成されていてよい。表面シート５０は、例えば不織布のような透液性のシートによって構成されていてよい。
【００３６】
裏面シート６０，６２は、１枚又は複数枚のシートによって構成されていてよい。本実施形態では、裏面シートは、吸収体４０の非肌面側に位置する防漏シート６２と、防漏シート６２の非肌面側に位置する非肌面シート６０と、を有していてよい。防漏シート６２は、例えば不透液性のフィルムによって構成されていてよい。非肌面シート６０は、例えば不織布によって構成されていてよい。
【００３７】
吸収性物品１０は、幅方向Ｗにおける吸収体４０の両外側縁から幅方向Ｗの外側に延びるサイドシート７０を有していてもよい。サイドシート７０は、吸収体４０と重なる位置では、吸収体４０よりも肌面側に設けられていてよい。
【００３８】
本実施形態では、吸収性物品１０は、一対のファスニングテープ９０を備えている。ファスニングテープ９０は、後側域Ｓ３に設けられている。ファスニングテープ９０は、前側域Ｓ１と後側域Ｓ０とを止着する。前側域Ｓ１と後側域Ｓ３とが互いに止着されることにより、ファスニングテープ９０は、吸収性物品１０を着用者の身体に保持する。
【００３９】
上記実施形態の代わりに、吸収性物品１０は、一対のファスニングテープ９０を備えていなくてもよい。この場合、例えば吸収性物品は、パンツ型の形状を有していてよい。また、吸収性物品は、下着に貼り付けられて使用されるタイプのものであってもよい。
【００４０】
吸収体４０は、表面シート５０と防漏シート６２との間に設けられている。吸収体４０は、吸収コア４０ａと、吸収コア４０ａを包むコアラップ４０ｂと、を有していてよい。
【００４１】
吸収コア４０ａは、少なくとも股下域Ｓ２に設けられており、好ましくは股下域Ｓ２から前側域Ｓ１及び後側域Ｓ３のうち少なくともいずれか一方に向かって延びている。吸収コア４０ａは、粉砕パルプや高吸収ポリマーなどの材料を用いて構成することができる。
【００４２】
コアラップ４０ｂは、透液性のシートによって構成されている。コアラップ４０ｂは、例えばティッシュや不織布により構成されていてよい。吸収コア４０ａの肌面側のコアラップ４０ｂと、吸収コア４０ａの非肌面側のコアラップ４０ｂとは、互いに異なるシートによって構成されていてもよく、同じシートによって構成されていてもよい。
【００４３】
吸収コア４０ａの肌面側のコアラップ４０ｂは、接着剤３０ａによって吸収コア４０ａに接着されていてよい。また、吸収コア４０ａの非肌面側のコアラップ４０ｂは、接着剤３０ｂによって吸収コア４０ａに接着されていてよい。
【００４４】
吸収性物品１０は、尿の付着の有無を判別するインジケータ６８を有していてよい。インジケータ６８は、吸収体４０の非肌面側に設けられていてよい。例えば、インジケータ６８は、防漏シート６２の肌面側に設けられている。本実施形態では、インジケータ６８は、少なくとも股下域Ｓ３において、前後方向Ｌに沿って延びている。インジケータ６８は、例えば、尿の付着によって色が変化する部材によって構成されていてよい。インジケータ６８は、尿の付着によって変色することで、使用者に尿の付着の有無を知らせることができる。
【００４５】
吸収性物品１０は、吸収体４０を圧搾した圧搾部８０を有する。圧搾部８０は、吸収コア４０ａとコアラップ４０ｂとに形成されている。圧搾部８０は、吸収体４０の肌面側と吸収体４０の非肌面側に形成されていてよい。肌面側の圧搾部８０は、吸収体４０の肌面側から非肌面側に向かって厚み方向に凹んだ部分である。非肌面側の圧搾部８０は、吸収体４０の非肌面側から肌面側に向かって厚み方向に凹んだ部分である。ここで、肌面側の圧搾部８０は、吸収体４０の厚み方向Ｔにおいて肌面側の圧搾部８０と重なる位置に設けられている。
【００４６】
圧搾部８０は、吸収体４０に格子状に形成されている。すなわち、吸収体４０は、圧搾部８０によって１つ又は複数のセル４６に区画されていてよい。格子の形状については、特に限定されない。例えば、圧搾部８０は、各々のセル４６を、略菱形、略長方形、略正四角形、略三角形などの多角形にするよう形成されていてよい。この代わりに、圧搾部８０は、１つの略正方形又は略長方形のセル４６を形成するよう設けられていてもよい。
【００４７】
圧搾部８０は、少なくとも股下域Ｓ２に設けられていてよく、好ましくは吸収体の全領域において格子状に形成されている。ここで、各セル４６は、別のセル４６から完全に分離していなくてもよい。例えば、図３に示すように、前後方向Ｌに隣接するセル４６どうしが、狭い非圧搾部を介して互いに繋がっていてもよい。図３に示す態様の代わりに、幅方向Ｗに隣接するセル４６どうしが、狭い非圧搾部を介して互いに繋がっていてもよい。このように、圧搾部８０は、実質的に格子状に形成されていればよく、セル４６同士を完全に分離していなくてもよい。
【００４８】
本実施形態では、前後方向Ｌに沿って延びる複数の圧搾部８０が、幅方向Ｗに並んでいる。それぞれの圧搾部８０は、波状に湾曲しながら前後方向Ｌに沿って延びている。互いに隣接する圧搾部８０の波の位相は、１８０°ずれている。これにより、互いに隣接する圧搾部８０どうしの間に、複数のセル４６が形成される。
【００４９】
吸収体４０に格子状の圧搾部８０が形成されているため、吸収体４０の曲げ剛性が高まり、吸収体４０の保型性が維持されやすい。これにより、長期間の使用に伴う吸収体の型崩れが抑制される。また、圧搾部８０が格子状に形成されているため、尿のような液体が圧搾部８０を伝って吸収体４０の広い領域に伝わりやすい。これにより、吸収体４０の広い領域を利用して液を吸収しやすくなる。
【００５０】
本実施形態では、圧搾部８０が形成されていない領域において、厚み方向Ｔにおける吸収体４０のヤング率は、３．１ｋＰａ以上、４．５ｋＰａ以下である。より具体的には、セル４６の中心において、厚み方向Ｔにおける吸収体４０のヤング率は、３．１ｋＰａ以上、４．５ｋＰａ以下である。
【００５１】
ここで、大人の親指のヤング率は、概ね４．５ｋＰａである。自らの親指のヤング率が触れた対象物のヤング率よりも十分に小さい場合、親指で対象物を押すと、主として親指が変形するため、対象物が硬いと感じられる。したがって、厚み方向における吸収体４０のヤング率を４．５ｋＰａ以下にすることにより、大人は、吸収体４０を柔らかいと感じ易い。これにより、吸収体４０が柔らかいという感覚を与えることができる。
【００５２】
特に、圧搾部８０によって、吸収体４０が複数のセル４６に区画されている場合、各々のセル４６の中心でのヤング率が高くなりすぎることがある。本願の発明者は、このような場合であっても、各のセル４６のヤング率が４．５ｋＰａ以下になるようセル４６を形成することにより、吸収体４０が柔らかいという感覚を大人に与えることができることを見出した。
【００５３】
圧搾部８０により区画されたセル４６の幅方向Ｗにおける長さ（最大長）は、好ましくは１５ｍｍ以下、より好ましくは１４．４５ｍｍ以下である。このように、格子状の圧搾部８０によって区画された吸収体４０のセルの幅方向Ｗにおける長さが小さくなると、幅方向Ｗにおける吸収体４０の曲げ剛性がより高まり、吸収体４０の保型性がより維持されやすい。これにより、着用者の両脚に挟まれて長期間使用されたとしても吸収体４０の型崩れがより抑制される。さらに、吸収体のセル４６の幅方向における長さが小さくなると、吸収体が尿を吸収できるというイメージをユーザに与えることができる。このように吸収体のセル４６の幅方向における長さが小さい場合、吸収体の各セル４６が硬くなり過ぎることがある。この場合であっても、互いに隣接するセル４６が、吸収体４０を圧搾しない非圧搾部により連結されていると、各々のセル４６が硬くなり過ぎること抑制することができ、ユーザに吸収体が柔らかいという感覚を与えることができる。
【００５４】
好ましくは、上記のヤング率は３．８ｋＰａ以下である。ヤング率が３．８ｋＰａ以下であることによって、後述するように、ユーザにより柔らかい印象を与えることができる。
【００５５】
また、厚み方向Ｔにおける吸収体４０のヤング率が３．１ｋＰａ以上であることによって、ユーザに吸収体４０が詰まっている感覚を与えることができ、吸収力が高いという印象をユーザに与えることができる。
【００５６】
また、自らの親指のヤング率が触れた対象物のヤング率よりも十分に大きい場合、親指で対象物を押すと、主として対象物が変形するため、対象物の中身が充実しておらず空洞が大きいという感触が得られる。この場合、返って吸収体の触感が低下する。また、自らの親指のヤング率が触れた対象物のヤング率と近い場合、硬すぎず柔らか過ぎでないため、心地よい触感が得られる。このような観点から、厚み方向Ｔにおける吸収体４０のヤング率は３．１ｋＰａ以上、４．５ｋＰａ以下であることが好ましい。
【００５７】
幅方向Ｗにおける吸収体４０の中心を通って前後方向Ｌに沿って延びた中心線上に位置するセル４６の中点におけるヤング率は、当該中心線上に位置するセル４６よりも幅方向Ｗの外側に位置するセル４６の中点におけるヤング率よりも低いことがより好ましい。より具体的には、幅方向Ｗにおける中央のセル４６の中点におけるヤング率は、幅方向の最も外側のセル４６の中点におけるヤング率よりも低い。幅方向Ｗにおける中心付近は、例えば親のようなユーザが実際に触る部分であるため、ヤング率を低くすることにより、ユーザに柔らかい印象を与えることができる。その一方で、幅方向Ｗにおける吸収体４０の外側部分のヤング率を高くすることによって、吸収体４０の外側部分を硬くし、吸収体４０の保型性を維持しやすくすることができる。
【００５８】
本実施形態では、前後方向Ｌに互いに隣接するセル４６は、吸収体４０を圧搾しない非圧搾部により連結されている。これにより、吸収体４０を構成する吸収材料が１つのセル４６内に完全に閉じ込められるわけではないため、各セル４６が柔らかくなる。これにより、吸収体４０の保形性を向上させるためにセル４６のサイズを小さくしたとしても、セル４６を柔らかく維持することができ、吸収体４０が柔らかいという感覚をユーザに与えることができる。
【００５９】
（３）第２実施形態
次に、第２実施形態に係る吸収性物品について説明する。以下において第１実施形態と同様な構成については、その説明を省略することがある。第２実施形態では、吸収体４０に形成された圧搾部８０のパターンが第１実施形態と異なっている。
【００６０】
図５は、第２実施形態に係る吸収体の圧搾部のパターンを示す拡大図である。複数の圧搾部８０のうちのいくつかの圧搾部は、格子を形成するように他の圧搾部８０に対して傾斜している。本実施形態では、各々の圧搾部８０は、間欠部８６によって断続的に形成されている。このように、圧搾部８０は、破線を描くように間欠的に延びていてもよい。本実施形態では、圧搾部８０どうしが交差する交点に相当する位置が、間欠部８６となっている。また、間欠部８６は、圧搾部８０どうしが交差する交点とは異なる場所、例えば後述するセル４６の辺に相当する位置に設けられていてもよい。
【００６１】
本実施形態では、圧搾部８０によって区画されたセルは、互いに交差する２つの方向（図では斜め方向）において別のセル４６と隣接している。当該２つの方向において互いに隣接するセル４６どうしは、吸収体４０を圧搾しない非圧搾部８６により連結されている。少なくとも２つの方向において互いに隣接するセル４６どうしが、吸収体を圧搾しない非圧搾部８６により連結されると、各セル４６中の吸収材料が隣接するセルに移動しやすくなり、セル４６がより柔らかくなる。これにより、セル４６のサイズを小さくしたとしても、セル４６を柔らかくすることができ、吸収体４０が柔らかいという感覚をよりユーザに与えることができる。
【００６２】
以下の表１は、圧搾部８０が延びている方向と直交する方向における圧搾部８０の幅Ｗ１と、吸収体４０の肌触りの官能評価（吸収体の硬さの評価）の結果を示している。表１の「○」は、複数のユーザのうち全員が吸収体が柔らかいと判断された結果を示す。表１の「×」は、複数のユーザのうちの一部が吸収体が硬いと判断した結果を示す。
【００６３】
【表１】
2020039564.tif 000003
【００６４】
表１から、圧搾部８０が延びている方向と直交する方向における圧搾部８０の幅Ｗ１は、好ましくは１．２ｍｍ以下、より好ましくは１．０ｍｍ以下である。圧搾部８０の幅Ｗ１を狭くすることにより、吸収体４０全体が硬くなり過ぎることを抑制し、装着感を維持することができる。なお、圧搾部の形成時のコアラップの破れを抑制する観点から、圧搾部８０が延びている方向と直交する方向における圧搾部８０の幅Ｗ１の下限値は、０．８ｍｍであってよい。
【００６５】
（４）第３実施形態
次に、第３実施形態に係る吸収性物品について説明する。以下において第１実施形態と同様な構成については、その説明を省略することがある。第３実施形態では、吸収体４０に形成された圧搾部８０のパターンが第２実施形態と異なっている。
【００６６】
図６は、第３実施形態に係る吸収体の圧搾部のパターンを示す拡大図である。第３実施形態の圧搾部のパターンは、第２実施形態の圧搾部のパターンとほぼ同様である。ただし、圧搾部８０どうしの交点に相当する位置において、一方の圧搾部８０のみが前後に連結している。この点を除くと、第３実施形態の圧搾部のパターンは、第２実施形態の圧搾部のパターンと同じである。
【００６７】
（５）第４実施形態
次に、第４実施形態に係る吸収性物品について説明する。以下において第１実施形態と同様な構成については、その説明を省略することがある。第４実施形態では、吸収体４０に形成された圧搾部８０のパターンが第１実施形態と異なっている。
【００６８】
図７は、第４実施形態に係る圧搾部８０のパターンを示す模式図である。本実施形態では、複数の圧搾部８０は、前後方向Ｌ沿って延びており、幅方向Ｗに屈曲した波形に形成されている。すなわち、圧搾部８０は、前後方向Ｌに延びる仮想線から最も近い位置で幅方向にジグザグしながら前後方向Ｌに延びている。互いに隣接する圧搾部８０の波形の位相は、互いに１８０°ずれている。これにより、各々のセル４６は、互いに隣接する圧搾部８０によって、略正方形状に形成されている。なお、前後方向に延びる圧搾部８０は非圧搾部８６を介して間欠的に延びている。
【００６９】
（６）第５実施形態
次に、第５実施形態に係る吸収性物品について説明する。以下において第１実施形態と同様な構成については、その説明を省略することがある。第５実施形態では、吸収体４０に形成された圧搾部８０のパターンが第１実施形態と異なっている。
【００７０】
図８は、第５実施形態に係る圧搾部８０のパターンを示す模式図である。本実施形態では、複数の圧搾部８０は、前後方向Ｌに沿って延びており、互いに幅方向Ｗに並んでいる。本実施形態では、各々の圧搾部８０は、幅方向に湾曲した波形に形成されている。ただし、互いに隣接する圧搾部８０の波形の位相は、ずれていない。図８に示すように、圧搾部８０は、格子状に形成されていなくてもよい。
【００７１】
非圧搾部８６は、幅方向Ｗから見て、別の圧搾部８０（非圧搾部８６ではない部分）と重複する位置に設けられることが好ましい。すなわち、非圧搾部８６は幅方向に一直線に並んでいない。これにより、吸収体４０に幅方向Ｗの皺が形成されにくくなる。幅方向Ｗの皺が形成されにくいため、尿のような水分が幅方向Ｗの皺に沿って流れ、漏れてしまうことを抑制することができる。
【００７２】
（７）第６実施形態
次に、第６実施形態に係る吸収性物品について説明する。以下において第１実施形態と同様な構成については、その説明を省略することがある。第６実施形態では、吸収体４０に形成された圧搾部８０のパターンが第１実施形態と異なっている。
【００７３】
図９は、第６実施形態に係る圧搾部８０のパターンを示す模式図である。本実施形態では、複数の圧搾部８０は、前後方向Ｌ沿って延びており、幅方向Ｗに湾曲した波形に形成されている。すなわち、圧搾部８０は、前後方向Ｌに延びる仮想線から最も近い位置で幅方向に波状に湾曲しながら前後方向Ｌに延びている。互いに隣接する圧搾部８０の波形の位相は互いに１８０°ずれており、互いに隣接する圧搾部８０どうしが最も近づく点どうしが幅方向Ｗに沿った圧搾部８０で連結されている。少なくとも股下域Ｓ２において、非圧搾部８６は、幅方向Ｗから見て、別の圧搾部８６と重複する位置に設けられていることが好ましい。
【００７４】
（８）実施例
次に、いくつかの実施例に係る吸収性物品を作成し、官能評価を行った結果について説明する。第１実施例〜第５実施例に係る吸収性物品１０は、吸収体４０に形成された圧搾部８０のパターンが互いに異なっている。第１実施例の吸収体４０は、図３に示す圧搾部８０のパターンを有する。第１実施例では、圧搾部８０によって区画されたセル４６の最大幅（格子サイズ）は１７ｍｍであった。
【００７５】
第２実施例〜第４実施例の吸収体４０は、図５に示す圧搾部８０のパターンを有する。ただし、第２実施例の吸収体４０のセル４６の最大幅（格子サイズ）は、１４．４５ｍｍであった。また、第３実施例の吸収体４０のセル４６の最大幅（格子サイズ）は、１３．６ｍｍであった。さらに、第４実施例の吸収体４０のセル４６の最大幅（格子サイズ）は、１２．７５ｍｍであった。
【００７６】
第５実施例の吸収体４０は、図３に示す圧搾部８０のパターンを有する。ただし、第５実施例の吸収体４０のセル４６の最大幅（格子サイズ）は、１１．０５ｍｍであった。
【００７７】
第１実施例〜第５実施例に係る吸収体４０について、ヤング率の測定を行った。ヤング率は、以下の方法により測定した。まず、吸収体４０を前後方向Ｌの略中心で幅方向Ｗに沿ったラインで２つ折りする。２つ折りされた吸収体４０の腹側に相当する部分のセル４６について、厚み方向Ｔのヤング率を測定した。なお、ヤング率の測定は、股下域Ｓ２において、幅方向Ｗにおける中心のセル４６について行った。ヤング率は、触感柔さ計測システム（SOFTMEASURE：株式会社堀内電機製作所製）を用いて測定することができる。各実施例について、１５個のサンプル（吸収体）についてヤング率を測定し、その平均値が表２に示されている。
【００７８】
【表２】
2020039564.tif 000004
【００７９】
さらに、各実施例の吸収体について、官能評価を実施した。官能評価は、１０人の大人で実施した。具体的には、各実施例の吸収体のセルをユーザに親指で厚み方向に押してもらい、各ユーザにセル４６のクッション性を評価してもらった。各ユーザは、各実施例の吸収体をクッション性の高いものから順に並べ、許容できるクッション性を有するものと、許容できないクッション性を有するもの（クッション性が低いもの）との境界を決定した。当該境界よりもクッション性が高くなるほど順番に１点、２点、３点・・・と点数を付けた。同様に、当該境界よりもクッション性が低くなるほど順番に−１点、−２点、−３点・・・と点数を付けた。すなわち、点数が高い方がクッション性が高いことを示している。表２は、１０人のユーザの合計点を示している。
【００８０】
表２から、ヤング率が５．３９ｋＰａ以上の場合、吸収体４０のセル４６のクッション性が高くも低くもないと判断されたことがわかる。そして、ヤング率が低くなるにしたがって、クッション性が高く感じられている。特に、ヤング率が３．８ｋＰａ以下である場合、ユーザは急激に高いクッション性を感じていることがわかる。
【００８１】
なお、ヤング率を測定する装置、具体例として上記の触感柔さ計測システムにおける測定端子は、半球状であり、人の親指の形状に近い。このような観点から、ヤング率を指標として吸収体のクッション性を評価することにより、人の感触と相関の高い評価結果が得られると考えられる。このような観点から、ヤング率という指標が、特に有利であると考えられる。
【００８２】
次に、吸収体４０の弾力性に関する官能評価試験の結果を以下で説明する。弾力性に関する官能評価試験は、前述した第２実施例と、後述する第６実施例と、比較例とで行われた。
【００８３】
第６実施例の吸収体４０は、図５に示す圧搾部８０のパターンを有する。ただし、第６実施例の吸収体４０のセル４６の最大幅（格子サイズ）は、１７．００ｍｍであった。比較例の吸収体は、圧搾部を有していない。
【００８４】
弾力性に関する官能評価試験は、５人の大人で実施した。具体的には、各実施例の吸収体のセルをユーザに親指で厚み方向に押してもらい、各ユーザにセル４６の弾力性を評価してもらった。各ユーザは、各吸収体を弾力性の高いものから順に並べた。最も評価が低い吸収体は、０点（基準点）が付けられた。この基準点よりも１段階評価が高い吸収体に１点が付けられた。さらに、この基準点よりも２段階評価が高い吸収体に２点が付けられた。なお、同じ評価が与えられた複数の吸収体には、同じ点数がつけられた。そして、それぞれの吸収体について、５人の大人すべての点数の合計点を、以下の表３に示した。なお、比較例の吸収体は、すべての大人が０点を付けたことに留意されたい。
【００８５】
【表３】
2020039564.tif 000005
【００８６】
表３から、厚み方向Ｔにおける吸収体４０のヤング率が３．１ｋＰａ未満の場合、セル４６内の吸収体４０が詰まっておらずスカスカであるとユーザに感じさせるということが官能評価結果により明かになった。
【００８７】
次に、別の官能評価の結果を表４に示す。表４において、上記の各実施例１〜５の吸収体４０について、圧搾部８０の底の高さからセル４６の頂点までの高さの高低差ΔＴが示されている。高低差ΔＴは、レーザ変位計によって測定することができる。
【００８８】
【表４】
2020039564.tif 000006
【００８９】
さらに、各実施例の吸収体について、官能評価を実施した。官能評価は、１０人の大人で実施した。具体的には、各実施例の吸収体の表面を幅方向Ｗに沿って指でなぞってもらい、各ユーザに吸収体４０の肌触り（凹凸にともなう違和感）を評価してもらった。各実施例の吸収体を肌触りの良いものから順に並べ、許容できる肌触りを有するものと、許容できない肌触りを有するもの（肌触りが悪いもの）との境界を決定した。当該境界よりも肌触りが高くなるほど順番に１点、２点、３点・・・と点数を付けた。同様に、当該境界よりも肌触りが低くなるほど順番に−１点、−２点、−３点・・・と点数を付けた。すなわち、点数が高い方が肌触りが良いことを示している。表４は、１０人のユーザの合計点を示している。
【００９０】
この肌触りの官能評価は、圧搾部８０の凹凸の程度、具体的には幅方向Ｗにおける格子サイズＷ２に対する高低差ΔＴに依存すると考えられる。表４では、格子サイズＷ２に対する高低差ΔＴの値も示されている。
【００９１】
表４から、幅方向Ｗにおけるセル４６の最大長（格子サイズＷ２）に対する、セル４６の頂部からセルを区画する圧搾部８０の底部までの高さ（高低差ΔＴ）の比が、０．０３以下である場合、ユーザは、吸収体４０の肌触りが特に良いと感じており、吸収体４０の凹凸に伴う違和感を抑制することができていることがわかる。
【００９２】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【産業上の利用可能性】
【００９３】
上記態様によれば、吸収体が柔らかいという感覚を与えることができる吸収性物品を提供することができる。
【符号の説明】
【００９４】
１０    吸収性物品
４０    吸収体
４０ａ  吸収コア
４０ｂ  コアラップ
４６    セル
５０    表面シート
６０    防漏シート
６２    非肌面シート
８０    圧搾部
【図１】
2020039564.tif 000007
【図２】
2020039564.tif 000008
【図３】
2020039564.tif 000009
【図４】
2020039564.tif 000010
【図５】
2020039564.tif 000011
【図６】
2020039564.tif 000012
【図７】
2020039564.tif 000013
【図８】
2020039564.tif 000014
【図９】
2020039564.tif 000015